(57)【要約】【課題】コンパクトに収納でき、容易に組立てが可能で、汎用性の高いデザインを可能とした紙製組立式展示台を提供する。【解決手段】紙製のブランクを組み立てて形成する展示台であって、四角柱状の胴部と、胴部内に対角線状に挿入されて、胴部を四角柱状に保持し補強するＸ字型の補強部材と、該補強部材の上に被せて展示物を載置する床板とからなり、胴部は展示台の前面を水平に分割する中央折り曲げ線を介して連結された下胴部と上胴部からなり、上下各胴部は、縦方向の折り曲げ線を介して、背面板、左側面板、前面板、右側面板、のりしろを順次連設し、左右の側面板は、それぞれ中央部に縦方向のガセット折り曲げ線を有し、のりしろを背面板に接着して下胴部、上胴部をそれぞれ中空の四角柱状となし、ガセット折り曲げ線を折り曲げて下胴部、上胴部を折り畳んだ後、中央折り曲げ線を折り曲げて２つ折りにして梱包可能であることを特徴とする組立式展示台。【選択図】図１
2011000364.tif 000002
【特許請求の範囲】
【請求項１】
紙製のブランクを組み立てて形成する展示台であって、四角柱状の胴部と、該胴部内に対角線状に挿入されて、胴部を四角柱状に保持し補強する２枚の補強板からなるＸ字型の補強部材と、該補強部材の上に被せて展示物を載置する床板とからなり、胴部は展示台の前面を水平に分割する中央折り曲げ線を介して連結された下胴部と上胴部からなり、下胴部は、縦方向の折り曲げ線を介して、下胴背面板、下胴左側面板、下胴前面板、下胴右側面板、下胴のりしろを順次連設し、上胴部は、縦方向の折り曲げ線を介して、上胴背面板、上胴左側面板、上胴前面板、上胴右側面板、上胴のりしろを順次連設し、下胴部および上胴部の左右の側面板は、それぞれ中央部に縦方向のガセット折り曲げ線を有し、下胴のりしろを下胴背面板に接着し、上胴のりしろを上胴背面板に接着して下胴部、上胴部をそれぞれ中空の四角柱状となし、ガセット折り曲げ線を折り曲げて下胴部、上胴部を折り畳んだ後、前記中央折り曲げ線を折り曲げて２つ折りにして梱包可能であることを特徴とする組立式展示台。
【請求項２】
前記上胴背面板は、横方向の折り曲げ線を介して連設した表示板を有することを特徴とする請求項１に記載の組立式展示台。
【発明の詳細な説明】
【技術分野】
【０００１】
本発明は、店頭において商品を展示、販売するための展示台に関し、特にコンパクトに折り畳んで収納することが可能な紙製の組立式展示台に関する。
【背景技術】
【０００２】
従来から、店頭に設置して商品を展示したり販売したりするための展示台として、さまざまな材質、形状の製品が提案され、使用されている。これらの中で、紙製の展示台は、比較的安価に製造できるため、恒久的に使用しない用途例えば、特定期間しか使用しないキャンペーン用の販売台などとしてしばしば用いられている。
【０００３】
長期間使用する展示台であれば、多少嵩張って輸送効率が悪くても大きな問題とはならないが、恒久的に使用せず、使用期間が短い用途の場合には、輸送効率の善し悪しがコストに及ぼす影響が大きいため、いかにコンパクトに梱包できるかは、重要な課題である。
【０００４】
特許文献１に記載された台形組み合わせ組立販売台は、同形、同大の台形形状の台を複数重ね合わせて作る組立販売台である。この販売台は、基本となる台を複数重ねることにより、高さの大きな販売台を作ることができるものである。
【０００５】
特許文献２に記載された天地替え表示面変換陳列台は、厚紙製のブランクを組立てて作る２本の筒を重ね合わせて、それぞれの上下、表裏を使用することにより、数通りの表示外観を可能とした陳列台である。
【０００６】
特許文献３に記載された販売展示用スタンドは、ディスプレー箱Ｂの外側に、ディスプレーの脚部となるディスプレー台Ａを巻き付け得るようにしたことにより、コンパクトに収納できるようにした販売展示用スタンドである。
【先行技術文献】
【特許文献】
【０００７】
【特許文献１】実開昭57-37364号公報
【特許文献２】特開平9-108077号公報
【特許文献３】実開昭58-29362号公報
【発明の概要】
【発明が解決しようとする課題】
【０００８】
特許文献１に記載された台形組み合わせ組立販売台は、基本となる台は分解ができないものであるため、組立て前後における容積には、あまり変化がなく、従って輸送時にかさばって一度に沢山の個数を運搬できないという問題がある。
【０００９】
特許文献２に記載された天地替え表示面変換陳列台は、厚紙製のブランクを組立てて作るため、組立て前後における容積の変化は大であり、組立て前のブランクは、かなりコンパクトではあるものの、台の高さ方向の長さを持ったブランクを収納できる相当大きなケースが必要であるため、梱包形態としては、相応の大きなものとならざるを得ず、従って輸送効率が十分良いとは言えないものである。
【００１０】
特許文献３に記載された販売展示用スタンドは、蛇腹構造の脚部がディスプレー箱Ｂの下にむき出しになっており、意匠的に見て汎用性に欠けるものであると言わざるを得ない。
【００１１】
本発明の解決しようとする課題は、紙製のブランクを組み立てて作る販売展示台における従来の問題点に鑑み、コンパクトに収納できて、容易に組立てが可能であり、しかも汎用性の高いデザインを可能とした紙製組立式展示台を提供するものである。
【課題を解決するための手段】
【００１２】
上記の課題を解決するための手段として、請求項１に記載の発明は、紙製のブランクを組み立てて形成する展示台であって、四角柱状の胴部と、該胴部内に対角線状に挿入されて、胴部を四角柱状に保持し補強する２枚の補強板からなるＸ字型の補強部材と、該補強部材の上に被せて展示物を載置する床板とからなり、胴部は展示台の前面を水平に分割する中央折り曲げ線を介して連結された下胴部と上胴部からなり、下胴部は、縦方向の折り曲げ線を介して、下胴背面板、下胴左側面板、下胴前面板、下胴右側面板、下胴のりしろを順次連設し、上胴部は、縦方向の折り曲げ線を介して、上胴背面板、上胴左側面板、上胴前面板、上胴右側面板、上胴のりしろを順次連設し、下胴部および上胴部の左右の側面板は、それぞれ中央部に縦方向のガセット折り曲げ線を有し、下胴のりしろを下胴背面板に接着し、上胴のりしろを上胴背面板に接着して下胴部、上胴部をそれぞれ中空の四角柱状となし、ガセット折り曲げ線を折り曲げて下胴部、上胴部を折り畳んだ後、前記中央折り曲げ線を折り曲げて２つ折りにして梱包可能であることを特徴とする組立式展示台である。
【００１３】
また、請求項２に記載の発明は、前記上胴背面板が、横方向の折り曲げ線を介して連設した表示板を有することを特徴とする請求項１に記載の組立式展示台である。
【発明の効果】
【００１４】
本発明に係る組立式展示台は、四角柱状の胴部と、該胴部内に対角線状に挿入されて、胴部を四角柱状に保持し補強する２枚の補強板からなるＸ字型の補強部材と、該補強部材の上に被せて展示物を載置する床板とからなるので、構成部品が少なく、構造も単純であり、従って安価に製造でき、しかも組み立てが容易である。
【００１５】
本発明に係る組立式展示台の胴部は展示台の前面を水平に分割する中央折り曲げ線を介して連結された下胴部と上胴部からなり、下胴部と上胴部は、それぞれ中空の四角柱状に形成してあり、両側面板のガセット折り曲げ線を折り曲げることにより、平らに折り畳むことができ、さらに中央折り曲げ線により、ほぼ半分の長さに折り畳むことが可能であるため、極めてコンパクトに梱包可能であり、収納ケースも小さくて済み、輸送効率が高い。
【００１６】
本発明に係る組立式展示台は、予め四角柱状に成形した下胴部と上胴部を折り畳んで収納してあるので、組立てる際には、胴部を引き起こし、内部に補強部材を挿入して、床板を乗せるだけの極めて簡単な操作によって組み立てが完了する。
【００１７】
また本発明に係る組立式展示台は、材料がすべて紙でできているため、廃棄時には、分別の必要もなく、リサイクルあるいは、廃棄処分が容易に可能である。
【図面の簡単な説明】
【００１８】
【図１】図１は、本発明に係る組立式展示台の一実施態様を示した斜視図である。
【図２】図２は、図１に示した組立式展示台を組み立てる手順を示した説明図である。
【図３】図３は、図１に示した組立式展示台の構成部品のブランクの展開図である。
【図４】図４は、図１に示した組立式展示台の部品を収納ケースから取り出した状態を示した説明図である。
【発明を実施するための形態】
【００１９】
以下図面に従い、本発明に係る組立式展示台について、詳細に説明する。
図１は、本発明に係る組立式展示台の一実施態様を示した斜視図である。また、図２は、図１に示した組立式展示台を組み立てる手順を示した説明図である。図３は、図１に示した組立式展示台の構成部品のブランクの展開図である。以下これらの図面を参照しながら説明する。
【００２０】
本発明に係る組立式展示台１は、紙製のブランクを組立てて形成する展示台であって、四角柱状の胴部１０と、胴部内に対角線状に挿入されて、胴部１０を四角柱状に保持し補強する２枚の補強板３１、３２からなるＸ字型の補強部材３０と、補強部材３０の上に被せて展示物を載置する床板２０とからなる。胴部１０は展示台の前面を水平に分割する中央折り曲げ線１１ｃを介して連結された下胴部１０ａと上胴部１０ｂからなる。
【００２１】
本発明に係る組立式展示台の胴部１０を構成する材料としては、表裏面を化粧面とした両面化粧段ボールや、両面コートボール紙が好適に使用できるが、片面化粧の材料を用いて、裏面が露出する部分、具体的には上胴背面板１２ｂや上胴左右側面板１３ｂ、１４ｂや、上胴前面板１１ｂなどの必要な部分のみに化粧シールを貼付する等の方法も可能である。
【００２２】
下胴部１０ａは、縦方向の折り曲げ線１６ａ、１６ｃ、１６ｅ、１６ｇを介して、下胴背面板１２ａ、下胴左側面板１３ａ、下胴前面板１１ａ、下胴右側面板１４ａ、下胴のりしろ１５ａを順次連設し、上胴部１０ｂは、縦方向の折り曲げ線１６ｂ、１６ｄ、１６ｆ、１６ｈを介して、上胴背面板１２ｂ、上胴左側面板１３ｂ、上胴前面板１１ｂ、上胴右側面板１４ｂ、上胴のりしろ１５ｂを順次連設し、下胴部および上胴部の左右の側面板１３ａ、１４ａ、１３ｂ、１４ｂは、それぞれ中央部に縦方向のガセット折り曲げ線１７ａ、１７ｃ、１７ｂ、１７ｄを有している。
【００２３】
下胴部１０ａと上胴部１０ｂとは、下胴前面板１１ａと上胴前面板１１ｂの間に設けられた中央折り曲げ線１１ｃによって接続している以外は、すべて切り離されており、下胴背面板１２ａと上胴背面板１２ｂの間は、切り込み線１２ｃによって、また下胴左側面板１３ａと上胴左側面板１３ｂとの間は、切り込み線１３ｃによって、また下胴右側面板１４ａと上胴右側面板１４ｂとの間は、切り込み線１４ｃによって、また下胴のりしろ１５ａと上胴のりしろ１５ｂとの間は、切り込み線１５ｃによってそれぞれ切り離されている。
【００２４】
本発明に係る組立式展示台は、下胴のりしろ１５ａを下胴背面板１２ａに接着し、上胴のりしろ１５ｂを上胴背面板１２ｂに接着して下胴部１０ａ、上胴部１０ｂをそれぞれ中空の四角柱状となし、ガセット折り曲げ線１７ａ、１７ｂ、１７ｃ、１７ｄを折り曲げて下胴部１０ａ、上胴部１０ｂを折り畳んだ後、前記中央折り曲げ線１１ｃを折り曲げて２つ折りにして梱包可能であることを特徴とする。
【００２５】
本発明に係る組立式展示台は、図２に示したように、折り畳まれた状態の胴部１０の中央折り曲げ線１１ｃを開き、ガセット折り曲げ線１７ａ〜１７ｄを開いて下胴部１０ａ、上胴部１０ｂの左右の側面板を伸ばし、下から胴部内にＸ字型の補強部材３０を挿入して胴部を四角柱状に保持し補強する。補強部材３０は、２枚の補強板３１、３２を互いに切り込み３２ｂ、３１ｂに差込んで組み合わせたものである。この実施態様においては、２
枚の補強板３１、３２には、中央部で折り曲げてコンパクトに収納できるようにそれぞれ折り曲げ線３１ａ、３２ａが設けられている。
【００２６】
補強部材３０の高さは、少なくとも下胴部１０ａの高さより高いことが必要であり、下胴部１０ａの高さより低いと、下胴部１０ａの補強のみに留まってしまい、下胴部１０ａと上胴部１０ｂを連結し、胴部１０全体を補強する効果がなくなってしまう。従って補強部材３０の高さとしては、許される範囲で、下胴部１０ａの高さよりも高いほど望ましい。
【００２７】
補強部材３０を挿入して、胴部１０が立ち上がったら、補強部材３０の上に床板２０を乗せるだけで展示台が完成する。床板２０には、４辺にフラップ２１が折り曲げ線を介して設けられている。このフラップ２１が存在することにより、床板の剛性が高まり、展示物の積載重量の範囲が広がる効果を有する。
【００２８】
なお、図１〜３に示した実施態様においては、上胴背面板１２ｂに水平方向の折り曲げ線１８を介して表示板１９が連設されている。この表示板１９は、展示する商品の説明などを表示するのに役立つ。また水平方向の折り曲げ線１８によって、上胴背面板１２ｂの裏側に折り畳むことができるので、コンパクトな梱包形態に悪影響を及ぼすことがない。
【００２９】
このように、本発明に係る組立式展示台は、誰にでも極めて簡単に組立てることができ、組立てに当たっては、特別な工具や技術を必要としないものである。
【００３０】
図４は、図１に示した組立式展示台の部品を収納ケースから取り出した状態を示した説明図である。収納ケース４０には、胴部１０と床板２０と補強板３１、３２が収納されていたことを示している。胴部１０は、左右側板のガセット折り曲げ線を折り曲げることにより、平らにして、これをさらに中央折り曲げ線で折り曲げて下胴部１０ａと上胴部１０ｂを２つ折りにし、さらに表示板１９も折り曲げられている。
【００３１】
床板２０は、フラップ２１を延ばした状態で収納されている。また補強板３１、３２は、中央部の折り曲げ線で折り曲げて２つ折りにした状態で収納されている。このように、本発明に係る組立式展示台は、極めてコンパクトに収納できるという特徴を有するものであり、このため収納ケース４０のサイズは、従来の約半分となり、輸送効率が格段に高くなった。
【符号の説明】
【００３２】
１・・・展示台
１０・・・胴部
１０ａ・・・下胴部
１０ｂ・・・上胴部
１１ａ・・・下胴前面板
１１ｂ・・・上胴前面板
１１ｃ・・・中央折り曲げ線
１２ａ・・・下胴背面板
１２ｂ・・・上胴背面板
１２ｃ・・・切り込み線
１３ａ・・・下胴左側面板
１３ｂ・・・上胴左側面板
１３ｃ・・・切り込み線
１４ａ・・・下胴右側面板
１４ｂ・・・上胴右側面板
１４ｃ・・・切り込み線
１５ａ・・・下胴のりしろ
１５ｂ・・・上胴のりしろ
１５ｃ・・・切り込み線
１６ａ〜１６ｈ・・・縦方向の折り曲げ線
１７ａ〜１７ｄ・・・ガセット折り曲げ線
１８・・・折り曲げ線
１９・・・表示板
２０・・・床板
２１・・・フラップ
３０・・・補強部材
３１・・・補強板
３１ａ・・・折り曲げ線
３１ｂ・・・切り込み
３２・・・補強板
３２ａ・・・折り曲げ線
３２ｂ・・・切り込み
４０・・・収納ケース
【図１】
2011000364.tif 000003
【図２】
2011000364.tif 000004
【図３】
2011000364.tif 000005
【図４】
2011000364.tif 000006